(57)【要約】【課題】パッケージの構造及び実装スロット位置が異なる場合でも複数のパッケージを容易に押さえることができるパッケージの抜け止め機構を提供する。【解決手段】パッケージ１２及び１４の挿抜動作に干渉することのないユニット１１の上部に配置された取付部１５に取付ネジ１６を用いてレール部材１７が固定され、レール部材１７の長さ方向に沿って形成されたスライド用溝１８内に左右端部からネジ板１９が必要数挿入され、このネジ板１９と固定ネジ２０により各パッケージに対応した押さえ具２１あるいは２２がレール部材１７の長さ方向に移動可能に取り付けられる。押さえ具２１あるいは２２が対応するパッケージの正面板の一部に当接してパッケージが押さえられる。【選択図】図１
2010021307.tif 000002
【特許請求の範囲】
【請求項１】
筐体内に並設実装された複数のパッケージの抜け止めを行うための機構において、
前記複数のパッケージの並び方向に延びると共に前記筐体に対して挿抜される前記複数のパッケージに干渉しない位置で前記筐体に固定されるレール部材と、
前記複数のパッケージに対応し且つそれぞれ前記レール部材の長さ方向に移動可能に前記レール部材に取り付けられると共に前端部が対応するパッケージの正面板の一部に当接あるいは対面する複数の押さえ具と、
前記複数の押さえ具に対応し且つそれぞれ対応する押さえ具を前記レール部材に対して前記レール部材の長さ方向の所望の位置で固定する複数の固定部材と
を備えたことを特徴とするパッケージの抜け止め機構。
【請求項２】
請求項１に記載のパッケージの抜け止め機構において、
前記レール部材は、その長さ方向に沿って形成されると共に開口部の両側にそれぞれフランジを有する断面Ｔ字状のＴ溝からなるスライド用溝を有し、
各押さえ具は、前記レール部材のスライド用溝に対して回転しないようにスライド用溝の開口部に嵌入される矩形の突起部を有するパッケージの抜け止め機構。
【請求項３】
請求項２に記載のパッケージの抜け止め機構において、
各固定部材は、前記レール部材のスライド用溝内に挿入されるネジ板と、対応する押さえ具の貫通孔を通して前記ネジ板に螺合されることにより前記押さえ具と前記ネジ板との間に前記フランジを挟持して前記押さえ具を前記レール部材に固定する固定ネジとを備えたパッケージの抜け止め機構。
【請求項４】
請求項２に記載のパッケージの抜け止め機構において、
各押さえ具は、前記レール部材のスライド用溝内を臨む貫通孔を有し、
各固定部材は、前記押さえ具の貫通孔に挿入された連結ロッド部と、前記連結ロッド部の前端に固定され且つ前記レール部材のスライド用溝の開口部より小さな短辺と前記レール部材のスライド用溝の開口部より大きな長辺とを有するほぼ矩形状のロック部と、前記連結ロッド部の後端に固定されたつまみ部とを有し、
前記つまみ部を前記連結ロッド部の周りに回転させることにより前記ロック部が前記フランジに係合して前記押さえ具が前記レール部材に固定されるパッケージの抜け止め機構。
【請求項５】
請求項１乃至請求項４のいずれかに記載のパッケージの抜け止め機構において、
各押さえ具は、前記前端部から後端部まで貫通すると共に前記前端部が当接あるいは対面するパッケージの正面板の一部を前記後端部から覗くための覗き窓を有するパッケージの抜け止め機構。
【発明の詳細な説明】
【技術分野】
【０００１】
この発明は、パッケージの抜け止め機構に係り、特に電子機器装置に並設実装される複数のカード型プリント配線板等のパッケージの抜け止め機構に関する。
【背景技術】
【０００２】
複数のカード型プリント配線板等のパッケージを並設実装する電子機器装置においては、地震、輸送震動、その他の衝撃により容易に各パッケージが抜けないように、電子機器装置の筺体に複数のパッケージを保持する必要がある。このパッケージの保持方法として、各パッケージ毎にパッケージの正面板を筺体にネジ固定する方法があるが、パッケージの枚数が多い場合には、実装に多大の手間と時間を要してしまう。
そこで、例えば、特許文献１には、バー形状の押さえ部材を用いて複数のパッケージの正面板の一部を一律に押さえる機構が提案されている。
【０００３】
【特許文献１】実開平５−４５６４号公報
【発明の開示】
【発明が解決しようとする課題】
【０００４】
特許文献１に提案されているようなバー形状の押さえ部材を用いる場合、図８に示されるように、ユニット１に実装される複数のパッケージ２が例えばイジェクタ無しの統一された構造を有していれば、押さえバー３で複数のパッケージ２の正面板の一部を一律に押さえることができる。また、図９に示されるように、ユニット４に実装される複数のパッケージ５がイジェクタ付きの統一された構造を有していても、押さえバー６で例えば複数のパッケージ５のイジェクタ７の正面を一律に押さえることが可能となる。
【０００５】
しかしながら、図１０に示されるように、イジェクタ無しのパッケージ２とイジェクタ付きのパッケージ５が混在して並設実装されるユニット８においては、各パッケージの正面板の前後方向の位置が段違いとなって不均一になるため、押さえバー６の要所にアダプタ部品９を取付けてすべてのパッケージの正面板を押さえる必要がある。このように、構造が統一されていない複数のパッケージを並設実装する場合に、アダプタ部品９を用いてパッケージの構造の違いをフォローすることとなるが、この方法では、各パッケージがどのスロット位置に実装されても良いように、全てのスロット位置にアダプタ部品９が取付けられる構造にしておく必要がある。また、実装スロット位置が異なるユニットに対しては、そのユニットに応じた押さえバーを用意しなければならず、汎用性に欠けていた。
【０００６】
この発明はこのような問題点を解消するためになされたもので、パッケージの構造及び実装スロット位置が異なる場合でも複数のパッケージを容易に押さえることができるパッケージの抜け止め機構を提供することを目的とする。
【課題を解決するための手段】
【０００７】
パッケージの抜け止め機構は、筐体内に並設実装された複数のパッケージの抜け止めを行うための機構において、複数のパッケージの並び方向に延びると共に筐体に対して挿抜される複数のパッケージに干渉しない位置で筐体に固定されるレール部材と、複数のパッケージに対応し且つそれぞれレール部材の長さ方向に移動可能にレール部材に取り付けられると共に前端部が対応するパッケージの正面板の一部に当接あるいは対面する複数の押さえ具と、複数の押さえ具に対応し且つそれぞれ対応する押さえ具をレール部材に対してレール部材の長さ方向の所望の位置で固定する複数の固定部材とを備えたものである。
【発明の効果】
【０００８】
筐体に固定されるレール部材の長さ方向に移動可能に複数の押さえ具を取り付けると共に複数の固定部材によりこれら押さえ具をレール部材の長さ方向の所望の位置で固定するので、パッケージの構造及び実装スロット位置が異なる場合でも複数のパッケージを容易に押さえることが可能となる。
【発明を実施するための最良の形態】
【０００９】
以下、本発明の実施の形態を添付図面に基づいて説明する。
（実施の形態１）
図１に実施の形態１に係るパッケージの抜け止め機構の概略組立図を示す。筐体であるユニット１１にイジェクタ無しの複数のパッケージ１２と正面板にイジェクタ１３を具備する複数のパッケージ１４とが混在して並設実装されている。このユニット１１の上部に形成されたフランジ状の取付部１５に取付ネジ１６を用いてレール部材１７が固定される。レール部材１７は、複数のパッケージ１２及び１４の並び方向、すなわち水平方向に延びると共に長さ方向に沿って形成されたスライド用溝１８を有している。そして、レール部材１７のスライド用溝１８内に左右端部からネジ板１９が必要数挿入され、スライド用溝１８の正面から固定ネジ２０を用いて各パッケージに対応した押さえ具２１あるいは２２が取付固定される。ネジ板１９と固定ネジ２０により、この発明の固定部材が構成されている。
【００１０】
なお、レール部材１７を固定する取付部１５はユニット１１の上部に形成されているので、レール部材１７はユニット１１に対するパッケージ１２及び１４の挿抜動作に干渉することのない位置に固定されている。
また、パッケージ１２及び１４として、ユニット１１内の図示しないスロットに挿入接続されるカード型プリント配線板が用いられている。
【００１１】
図２は、実施の形態１に係るパッケージの抜け止め機構によりイジェクタ付きのパッケージ１４が押さえられている状態を示している。レール部材１７のスライド用溝１８は、開口部２３の両側にそれぞれフランジ２４を有する断面Ｔ字状のＴ溝からなっている。
押さえ具２２は、イジェクタ付きのパッケージ１４に対応したもので、レール部材１７のスライド用溝１８に接続されるための接続部２５と、パッケージ１４のイジェクタ１３を押さえるための押さえ部２６とから形成されている。接続部２５には、レール部材１７のスライド用溝１８の開口部２３に嵌入される矩形の突起部２７が形成されると共にこの突起部２７を含む接続部２５を貫通する貫通孔２８が形成されている。
【００１２】
正面側から接続部２５の貫通孔２８に固定ネジ２０を挿入し、レール部材１７のスライド用溝１８に挿入されているネジ板１９に螺合することにより、押さえ具２２とネジ板１９との間にスライド用溝１８のフランジ２４が挟持され、押さえ具２２がレール部材１７に固定される。このとき、押さえ部２６の前端部がパッケージ１４のイジェクタ１３の正面部２９に当接することでパッケージ１４が押さえられるように、押さえ部２６の前後方向の厚さＤが予め設定されている。
【００１３】
ネジ板１９への固定ネジ２０の締め付けを緩めると、押さえ具２２はネジ板１９及び固定ネジ２０と共にレール部材１７のスライド用溝１８に沿って自由に移動可能となるため、押さえようとするパッケージの配置位置まで押さえ具２２を移動し、そこで固定ネジ２０を締め付けることにより適宜押さえ具２２を固定することができる。
イジェクタ無しのパッケージ１２に対応した押さえ具２１は、上述したイジェクタ付きのパッケージ１４に対応した押さえ具２２とほぼ同様の構造を有しているが、イジェクタの分だけ押さえ部２６の前後方向の厚さＤが大きく設定されており、これにより、同様にして押さえ部２６の前端部がイジェクタ無しのパッケージ１２の正面板の一部に当接することでパッケージ１２を押さえることができる。
【００１４】
このような押さえ具２１及び２２を、ユニット１１に実装されたイジェクタ無しのパッケージ１２とイジェクタ付きのパッケージ１４に対応させてレール部材１７に取り付けることにより、構造の異なるパッケージが混在していても、また、各パッケージの実装スロット位置に関わらずに、各パッケージの正面板の一部を押さえることができる。したがって、地震、輸送震動、その他の衝撃を受けた場合であっても、ユニット１１からの各パッケージの抜けを防止することが可能となる。
【００１５】
なお、押さえ具２１及び２２の接続部２５に形成された矩形の突起部２７がレール部材１７のスライド用溝１８の開口部２３に嵌入されているので、固定ネジ２０の締め付けによる回転トルクに起因して押さえ具２１及び２２が回転することが防止され、常に押さえ具２１及び２２の押さえ部２６を対応するパッケージの正面板の一部に当接させることができる。
パッケージを挿抜する場合は、固定ネジ２０を突起部２７の厚さ分だけ緩めて突起部２７をスライド用溝１８の開口部２３から引き出し、押さえ具２１及び２２を９０度回転させた状態で固定ネジ２０を少し締めて押さえ具２１及び２２を横向きに仮固定する。これにより、押さえ具２１及び２２に干渉することなく、パッケージを挿抜することができる。
【００１６】
この実施の形態１においては、押さえ具２２の押さえ部２６の前端部をパッケージ１４のイジェクタ１３の正面部２９に当接させてパッケージ１４を押さえていたが、必ずしも当接させる必要はなく、パッケージ１４がユニット１１内の図示しないスロットから外れない範囲であれば、押さえ具２２の押さえ部２６の前端部がイジェクタ１３の正面部２９にわずかな間隔を隔てて対面していてもよい。このようにしても、地震等の衝撃を受けてパッケージ１４が抜けようとしたときに、パッケージ１４のイジェクタ１３の正面部２９が押さえ具２２の押さえ部２６の前端部に当接することで、それ以上の抜けを防止することができる。
同様に、押さえ具２１の押さえ部２６の前端部がイジェクタ無しのパッケージ１２の正面板の一部にわずかな間隔を隔てて対面していてもよい。
【００１７】
（実施の形態２）
この実施の形態２は、上述した実施の形態１において、イジェクタ付きのパッケージ１４に対応した押さえ具２２の代わりに図３に示される押さえ具３１を用いたものである。押さえ具３１の押さえ部３２は、パッケージ１４のイジェクタ１３に当接する前端部３３から正面側に位置する後端部３４まで貫通する覗き窓３５を有している。その他は、実施の形態１における押さえ具２２と同様の構造を有している。
【００１８】
このような押さえ具３１を用いると、図４に示されるように、押さえ具３１をレール部材１７に取り付けて押さえ部３２の前端部３３をパッケージ１４のイジェクタ１３に当接させた状態で、矢印Ｓで示すように、正面側から覗き窓３５を通してイジェクタ１３の正面部２９を覗くことができる。このため、イジェクタ１３の正面部２９にこのパッケージ１４の品名等の情報が記されたラベルを貼付しておけば、押さえ具３１で押さえた状態でも正面側からラベルを確認することが可能となる。
【００１９】
（実施の形態３）
この実施の形態３は、上述した実施の形態１において、押さえ具２２、ネジ板１９及び固定ネジ２０の代わりに図５に示される押さえ具４１及び固定部材５１を用いたものである。
押さえ具４１の接続部４２には、実施の形態１の押さえ具２２における円形の貫通孔２８の代わりに矩形状の貫通孔４３が形成されると共に正面側に位置する後端面４４上で且つ貫通孔４３の周辺に複数の凸ダボ４５が形成されている。押さえ具４１は、その他は実施の形態１における押さえ具２２と同様の構造を有している。
固定部材５１は、押さえ具４１の貫通孔４３に挿入される連結ロッド部５２と、連結ロッド部５２の前端に固定されたロック部５３と、連結ロッド部５２の後端に固定されたつまみ部５４とを有している。ロック部５３は、押さえ具２２の矩形状の貫通孔４３に挿入可能なほぼ矩形状に形成されている。
【００２０】
図６に示されるように、押さえ具４１の接続部４２に形成された矩形の突起部２７をレール部材１７のスライド用溝１８の開口部２３に嵌入させた状態で、正面側から固定部材５１のロック部５３と連結ロッド部５２を押さえ具４１の貫通孔４３に挿入し、つまみ部５４が押さえ具４１に当接したところでつまみ部５４を連結ロッド部５２の周りに９０度回転させる。これにより、ロック部５３がレール部材１７のスライド用溝１８の内部で９０度回転して鉛直方向に延びた姿勢となり、スライド用溝１８のフランジ２４に係合して押さえ具４１がレール部材１７に固定される。
【００２１】
このとき、図７に示されるように、つまみ部５４が押さえ具４１の後端面４４に形成された複数の凸ダボ４５を乗り越えることで、つまみ部５４の不意な回転が弾力的に規制される。
なお、このような固定部材５１で押さえ具４１をレール部材１７に固定するためには、ロック部５３が、レール部材１７のスライド用溝１８の開口部２３の開口幅Ａより小さな短辺Ｈと、レール部材１７のスライド用溝１８の開口部２３の開口幅Ａより大きく且つスライド用溝１８の幅Ｂより小さな長辺Ｗを有し、さらに、連結ロッド部５２が押さえ具４１の接続部４２の厚さＣよりわずかに大きな長さＬを有することが必要となる。
【００２２】
この実施の形態３によれば、固定ネジを用いることなく、極めて容易にレール部材１７への押さえ具４１の固定並びに脱着を行うことが可能となる。
なお、固定部材５１の回転がスムーズに行われるように、固定部材５１の回転により互いに当接する固定部材５１のロック部５３とレール部材１７のフランジ２４、さらに押さえ具４１に当接するつまみ部５４の部位にそれぞれＲ取りを施すことが望ましい。
また、固定部材５１の連結ロッド部５２にＥリング等を取り付けることにより、固定部材５１を回転させても押さえ具４１から脱落することがないように構成することもできる。
この実施の形態３においても、押さえ具４１の押さえ部に実施の形態２に示したような覗き窓を形成することができる。
【００２３】
上記の実施の形態１〜３では、イジェクタ無しのパッケージとイジェクタ付きのパッケージとが混在する場合について述べたが、イジェクタに関わらず、構造の相違等に起因して各パッケージの正面板の前後方向の位置が段違いとなる場合に広くこの発明を適用することができる。
また、上記の実施の形態１〜３では、パッケージとしてカード型プリント配線板を用いたが、これに限るものではなく、ユニット等の筐体内に並設実装されて抜け止めを必要とする各種のパッケージにこの発明を適用することができる。
【００２４】
以上、本発明の実施の形態によれば、以下の付記で示す技術的思想が開示されている。
（付記１）  筐体内に並設実装された複数のパッケージの抜け止めを行うための機構において、
前記複数のパッケージの並び方向に延びると共に前記筐体に対して挿抜される前記複数のパッケージに干渉しない位置で前記筐体に固定されるレール部材と、
前記複数のパッケージに対応し且つそれぞれ前記レール部材の長さ方向に移動可能に前記レール部材に取り付けられると共に前端部が対応するパッケージの正面板の一部に当接あるいは対面する複数の押さえ具と、
前記複数の押さえ具に対応し且つそれぞれ対応する押さえ具を前記レール部材に対して前記レール部材の長さ方向の所望の位置で固定する複数の固定部材と
を備えたことを特徴とするパッケージの抜け止め機構。
（付記２）  付記１に記載のパッケージの抜け止め機構において、
前記レール部材は、その長さ方向に沿って形成されたスライド用溝を有し、
前記複数の押さえ具は、前記レール部材のスライド用溝に沿って移動可能であるパッケージの抜け止め機構。
（付記３）  付記２に記載のパッケージの抜け止め機構において、
前記レール部材のスライド用溝は、開口部の両側にそれぞれフランジを有する断面Ｔ字状のＴ溝であるパッケージの抜け止め機構。
（付記４）  付記３に記載のパッケージの抜け止め機構において、
各押さえ具は、前記レール部材のスライド用溝に対して回転しないようにスライド用溝の開口部に嵌入される矩形の突起部を有するパッケージの抜け止め機構。
（付記５）  付記３または４に記載のパッケージの抜け止め機構において、
各固定部材は、前記レール部材のスライド用溝内に挿入されるネジ板と、対応する押さえ具の貫通孔を通して前記ネジ板に螺合されることにより前記押さえ具と前記ネジ板との間に前記フランジを挟持して前記押さえ具を前記レール部材に固定する固定ネジとを備えたパッケージの抜け止め機構。
（付記６）  付記３または４に記載のパッケージの抜け止め機構において、
各押さえ具は、前記レール部材のスライド用溝内を臨む貫通孔を有し、
各固定部材は、前記押さえ具の貫通孔に挿入された連結ロッド部と、前記連結ロッド部の前端に固定され且つ前記レール部材のスライド用溝の開口部より小さな短辺と前記レール部材のスライド用溝の開口部より大きな長辺とを有するほぼ矩形状のロック部と、前記連結ロッド部の後端に固定されたつまみ部とを有し、
前記つまみ部を前記連結ロッド部の周りに回転させることにより前記ロック部が前記フランジに係合して前記押さえ具が前記レール部材に固定されるパッケージの抜け止め機構。
（付記７）  付記６に記載のパッケージの抜け止め機構において、
各押さえ具の後端面上で且つ前記貫通孔の周辺に前記つまみ部の回転を弾力的に規制するための複数の凸ダボが形成されたパッケージの抜け止め機構。
（付記８）  付記６または７に記載のパッケージの抜け止め機構において、
各押さえ具からの固定部材の脱落を防止するためのＥリングが前記連結ロッド部に取り付けられたパッケージの抜け止め機構。
（付記９）  付記６乃至付記８のいずれかに記載のパッケージの抜け止め機構において、
前記つまみ部の回転により前記フランジまたは前記押さえ具に当接する前記ロック部と前記つまみ部の部位がそれぞれＲ取りされたパッケージの抜け止め機構。
（付記１０）  付記１乃至付記９のいずれかに記載のパッケージの抜け止め機構において、
各押さえ具は、前記前端部から後端部まで貫通すると共に前記前端部が当接あるいは対面するパッケージの正面板の一部を前記後端部から覗くための覗き窓を有するパッケージの抜け止め機構。
【図面の簡単な説明】
【００２５】
【図１】この発明の実施の形態１に係るパッケージの抜け止め機構の概略組立図である。
【図２】実施の形態１に係るパッケージの抜け止め機構の要部断面図である。
【図３】実施の形態２で用いられた押さえ具を示す斜視図である。
【図４】実施の形態２に係るパッケージの抜け止め機構の要部断面図である。
【図５】実施の形態３で用いられた押さえ具及び固定部材を示す斜視図である。
【図６】実施の形態３に係るパッケージの抜け止め機構の要部断面図である。
【図７】実施の形態３における押さえ具に固定部材が挿入された様子を示す斜視図である。
【図８】従来の抜け止め機構が備えられたユニットを示す斜視図である。
【図９】従来の他の抜け止め機構が備えられたユニットを示す斜視図である。
【図１０】従来のさらに他の抜け止め機構が備えられたユニットを示す斜視図である。
【符号の説明】
【００２６】
１１  ユニット、１２  イジェクタ無しのパッケージ、１３  イジェクタ、１４  イジェクタ付きのパッケージ、１５  取付部、１６  取付ネジ、１７  レール部材、１８  スライド用溝、１９  ネジ板、２０  固定ネジ、２１，２２，３１，４１  押さえ具、２３  開口部、２４  フランジ、２５，４２  接続部、２６，３２  押さえ部、２７  突起部、２８，４３  貫通孔、２９  正面部、３３  前端部、３４  後端部、３５  覗き窓、４４  後端面、４５  凸ダボ、５１  固定部材、５２  連結ロッド部、５３  ロック部、５４  つまみ部。
【図１】
2010021307.tif 000003
【図２】
2010021307.tif 000004
【図３】
2010021307.tif 000005
【図４】
2010021307.tif 000006
【図５】
2010021307.tif 000007
【図６】
2010021307.tif 000008
【図７】
2010021307.tif 000009
【図８】
2010021307.tif 000010
【図９】
2010021307.tif 000011
【図１０】
2010021307.tif 000012